(57)【要約】【課題】転写ロールから定着装置に向けて搬送経路が曲がった画像形成装置における用紙のカールを緩和しジャムを抑制する。【解決手段】トナー像を用紙１８に転写する転写ロールと、用紙１８に転写されたトナー像を定着ニップ部Ｎで用紙１８に定着させる定着装置２９と、転写ロールからの用紙１８を撓ませて定着装置２９に案内するガイド板４０と、用紙１８の撓む方向にガイド板４０を移動させるソレノイド４４とを備える。ソレノイド４４は制御部に制御されて、用紙１８の厚みに応じてガイド板４０による用紙１８の撓み量が大きくなるようにガイド板４０を移動させる。【選択図】図３
2008310241.tif 000002
【特許請求の範囲】
【請求項１】
可視像をシートに転写する転写手段と、
シートに転写された可視像を定着ニップ部で当該シートに定着させる定着手段と、
前記転写手段からのシートを撓ませて前記定着手段に案内するガイド板と、
シートの撓む方向に前記ガイド板を移動させる移動手段と、
を備えたことを特徴とする画像形成装置。
【請求項２】
前記ガイド板は、前記定着手段側を支点として回動可能に設けられている、
ことを特徴とする請求項１記載の画像形成装置。
【請求項３】
前記移動手段は、連結部材を介して前記ガイド板と連結され、操作者により回動操作可能なレバーである、
ことを特徴とする請求項１または２記載の画像形成装置。
【請求項４】
前記移動手段は、前記ガイド板を移動させるガイド板駆動源であり、
シートの種別の指定を受け、指定されたシートの種別に応じて前記ガイド板が移動するように前記ガイド板駆動源の制御を行う制御手段をさらに備えた、
ことを特徴とする請求項１または２記載の画像形成装置。
【請求項５】
前記移動手段は、前記ガイド板を移動させるガイド板駆動源であり、
シートの種別を判別する判別手段と、
判別したシートの種別に応じて前記ガイド板が移動するように前記ガイド板駆動源の制御を行う制御手段とをさらに備えた、
ことを特徴とする請求項１または２記載の画像形成装置。
【請求項６】
前記制御手段は、シートの腰の強さに応じて前記ガイド板によるシートの撓み量が大きくなるように前記ガイド板駆動源の制御を行う、
ことを特徴とする請求項４または５記載の画像形成装置。
【請求項７】
前記制御手段は、前記ガイド板の移動に応じて前記定着手段の定着温度、シート搬送速度および定着圧力の少なくとも何れか一つを変化させる制御を行う、
ことを特徴とする請求項４〜６の何れかに記載の画像形成装置。
【請求項８】
前記制御手段は、シートの腰の強さに応じて前記定着手段の定着温度を低く、シート搬送速度を遅く、定着圧力を低くする制御を行う、
ことを特徴とする請求項７記載の画像形成装置。
【請求項９】
シートが前記ガイド板に当たったことを検知するセンサをさらに備え、
前記制御手段は、前記センサによりシートが前記ガイド板に当たったことが検知されたならば、前記ガイド板によるシートの撓み量がより大きくなる位置へ前記ガイド板が移動するよう前記ガイド板駆動源の制御を行う、
ことを特徴とする請求項４〜８の何れかに記載の画像形成装置。
【発明の詳細な説明】
【技術分野】
【０００１】
本発明は画像形成装置に関するものである。
【背景技術】
【０００２】
電子写真方式を採用したプリンタや複写機等の画像形成装置では、像保持体としての感光体ドラムの表面全体を所定の電位に帯電した後、画像情報に応じて画像露光を施して静電潜像を形成し、この静電潜像にトナー（可視剤）を供給して顕像化することによりトナー像（可視像）を形成する。そして、当該トナー像を転写手段で感光体ドラムから直接用紙（シート）上に転写した後、あるいは中間転写体を介して転写手段で用紙上に転写した後、定着装置の定着ローラ対による熱および圧力の作用でこれを用紙に定着することで、画像を形成するように構成されている。
【０００３】
ここで、各色トナー像形成部が並べて配置されたタンデム型のカラープリンタでは、複数の（一般には４個の）感光体ドラムが回転軸を相互に平行にして一列に配置されているために、感光体ドラムの配列方向によって装置の高さ、幅あるいは奥行き（以下、「高さ等」という。）が嵩んでしまう。そこで、転写手段から定着装置に至る用紙搬送経路（搬送経路）を曲げることにより画像形成装置の高さ等を抑制するようにしている。
【０００４】
さて、画像形成装置により画像が形成される用紙には、厚さの薄いものから厚いものまで様々な種類がある。そして、転写手段から定着装置に至る用紙搬送経路が曲がっていると、経路の形状によって、厚紙の場合には定着装置でトナー像が定着された用紙が定着ローラ対によって大きく湾曲（カール）し、薄紙の場合には経路の湾曲が原因となって紙詰まり（ジャム）が発生する。なお、定着装置を有する画像形成装置において、例えば特開平１−２４５２７０号公報には、定着ローラ対の用紙搬送方向上流側直前にガイド板を傾動可能に設け、片面定着して先端がカールした用紙であっても、裏面定着のときに当該ガイド板を移動させて用紙の先端がスムーズに定着ニップ部に案内されるようにして画像不良を解消する技術が開示されている。
【０００５】
また、例えば特開平６−１９１６８６号公報には、レジストローラの用紙搬送方向上流側にガイド板を傾動可能に設け、用紙の腰に応じてガイド板の傾きが変わるようにして厚紙でも薄紙でも安定した撓みを形成してスキュー補正が適正に行われるようにした技術が開示されている。
【特許文献１】特開平１−２４５２７０号公報
【特許文献２】特開平６−１９１６８６号公報
【発明の開示】
【発明が解決しようとする課題】
【０００６】
しかし、特許文献１，２の何れも、転写手段から定着装置に至る用紙搬送経路が曲がっている場合に生じる上述のような問題点については、何らの配慮もなされていない。
【０００７】
本発明は、上述の技術的背景からなされたものであって、転写手段から定着装置に向けて搬送経路が曲がった画像形成装置におけるシートのカールを緩和しジャムを抑制することのできる技術を提供することを目的とする。
【課題を解決するための手段】
【０００８】
上記課題を解決するため、請求項１に記載の本発明の画像形成装置は、可視像をシートに転写する転写手段と、シートに転写された可視像を定着ニップ部で当該シートに定着させる定着手段と、前記転写手段からのシートを撓ませて前記定着手段に案内するガイド板と、シートの撓む方向に前記ガイド板を移動させる移動手段と、を備えたことを特徴とする。
【０００９】
請求項２に記載の発明は、上記請求項１に記載の発明において、前記ガイド板は、前記定着手段側を支点として回動可能に設けられている、ことを特徴とする。
【００１０】
請求項３に記載の発明は、上記請求項１または２に記載の発明において、前記移動手段は、連結部材を介して前記ガイド板と連結され、操作者により回動操作可能なレバーである、ことを特徴とする。
【００１１】
請求項４に記載の発明は、上記請求項１または２に記載の発明において、前記移動手段は、前記ガイド板を移動させるガイド板駆動源であり、シートの種別の指定を受け、指定されたシートの種別に応じて前記ガイド板が移動するように前記ガイド板駆動源の制御を行う制御手段をさらに備えた、ことを特徴とする。
【００１２】
請求項５に記載の発明は、上記請求項１または２に記載の発明において、前記移動手段は、前記ガイド板を移動させるガイド板駆動源であり、シートの種別を判別する判別手段と、判別したシートの種別に応じて前記ガイド板が移動するように前記ガイド板駆動源の制御を行う制御手段とをさらに備えた、ことを特徴とする。
【００１３】
請求項６に記載の発明は、上記請求項４または５に記載の発明において、前記制御手段は、シートの腰の強さに応じて前記ガイド板によるシートの撓み量が大きくなるように前記ガイド板駆動源の制御を行う、ことを特徴とする。
【００１４】
請求項７に記載の発明は、上記請求項４〜６の何れかに記載の発明において、前記制御手段は、前記ガイド板の移動に応じて前記定着手段の定着温度、シート搬送速度および定着圧力の少なくとも何れか一つを変化させる制御を行う、ことを特徴とする。
【００１５】
請求項８に記載の発明は、上記請求項７に記載の発明において、前記制御手段は、シートの腰の強さに応じて前記定着手段の定着温度を低く、シート搬送速度を遅く、定着圧力を低くする制御を行う、ことを特徴とする。
【００１６】
請求項９に記載の発明は、上記請求項４〜８の何れかに記載の発明において、シートが前記ガイド板に当たったことを検知するセンサをさらに備え、前記制御手段は、前記センサによりシートが前記ガイド板に当たったことが検知されたならば、前記ガイド板によるシートの撓み量がより大きくなる位置へ前記ガイド板が移動するよう前記ガイド板駆動源の制御を行う、ことを特徴とする。
【発明の効果】
【００１７】
請求項１記載の発明によれば、腰の強いシートの先端がガイド板に当たる角度が急になるように移動手段によりガイド板を移動させることにより、定着ニップ部への導入角度が緩やかになってシートのカールが緩和される。また、腰の弱いシートの先端がガイド板に当たる角度が緩やかになるように移動手段によりガイド板を移動させることにより、シートのジャムが抑制される。これにより、転写手段から定着装置に向けて搬送経路が曲がった画像形成装置におけるシートのカールが緩和され、ジャムが抑制される。
【００１８】
請求項２記載の発明によれば、ガイド板を移動させてもシートの定着ニップ部に対する導入位置が変動しないので、より正確にシートを定着ニップ部に導入させることができる。
【００１９】
請求項３記載の発明によれば、操作者のレバー操作という簡便な構成により、シートのカールを緩和しジャムを抑制することができる。
【００２０】
請求項４記載の発明によれば、操作者がシートの種別を指定するだけで、ガイド板がシートの種別に応じて移動してカールを緩和しジャムを抑制することができる。
【００２１】
請求項５記載の発明によれば、ガイド板がシートの種別に応じて自動的に移動するので、シート種別を意識しなくてもシートのカールを緩和しジャムを抑制することができる。
【００２２】
請求項６記載の発明によれば、ガイド板がシートの腰の強さにより位置を変えることで、転写手段から定着装置に向けて搬送経路が曲がった画像形成装置におけるシートのカールを緩和しジャムを抑制することができる。
【００２３】
請求項７記載の発明によれば、定着手段の定着温度、シート搬送速度および定着圧力を変化させることで、画質を維持しつつシートのカールを一層緩和することができる。
【００２４】
請求項８記載の発明によれば、シートの腰の強さに応じて定着手段の定着温度、シート搬送速度および定着圧力を変化させることで、カールの形成されやすい厚いシートに対して画質を維持しつつカールを一層緩和することができる。
【００２５】
請求項９記載の発明によれば、シート先端がガイド板に当たったのちに、ガイド板によるシートの撓み量がより大きくなる位置へガイド板が移動するようにできるので、シート先端がガイド板に当たるときのジャムを抑制しつつ、シートをスムーズに定着ニップ部に導入させることができる。
【発明を実施するための最良の形態】
【００２６】
以下、本発明の一例としての実施の形態を図面に基づいて詳細に説明する。なお、実施の形態を説明するための図面において、同一の構成要素には原則として同一の符号を付し、その繰り返しの説明は省略する。
【００２７】
以下、本発明の一例としての実施の形態を図面に基づいて詳細に説明する。なお、実施の形態を説明するための図面において、同一の構成要素には原則として同一の符号を付し、その繰り返しの説明は省略する。
【００２８】
図１は本発明の一実施の形態としての画像形成装置であるタンデム型のカラープリンタの概念図を示すものである。このカラープリンタは、例えば、パーソナルコンピュータやスキャナ等から送られてくる画像データに基づいてプリント動作を実行するように構成されている。なお、画像形成装置としては、スキャナを備えた複写機やファクシミリ、あるいはこれらの機能を備えた複合機等として構成してもよいことはもちろんである。さらに、モノクロプリンタでもよく、タンデム型以外のカラープリンタでもよい。
【００２９】
図１において、タンデム型のカラープリンタ本体１の内部には、その略中央部に、画像形成ユニット２が上下方向に沿って配置されている。また、カラープリンタ本体１の内部には、画像形成ユニット２の一方側（図示する場合には左側）に、画像形成ユニット２で形成された複数色のトナー像が転写される用紙を吸着した状態で搬送する用紙搬送ベルトユニット３が配置されているともに、当該画像形成ユニット２の他方（図示する場合には右側）には、制御回路等を備えた制御部４が、画像形成ユニット２の斜め上方に、高圧電源回路等を備えた電源回路ユニット５が、それぞれ配置されている。
【００３０】
また、カラープリンタ本体１内の底部には、画像が転写形成されるシートとしての用紙１８を収容してこれを給紙する給紙カセット６が配置されている。
【００３１】
画像形成ユニット２は、下から順に、イエロー（Ｙ）、マゼンタ（Ｍ）、シアン（Ｃ）、ブラック（Ｋ）の各色のトナー像を形成する４つの画像形成部７Ｙ、７Ｍ、７Ｃ、７Ｋを備えており、これらの４つの画像形成部７Ｙ、７Ｍ、７Ｃ、７Ｋは、上下方向に沿って一定の間隔を隔てて直列的に配置されている。
【００３２】
これらの４つの画像形成部７Ｙ、７Ｍ、７Ｃ、７Ｋは、形成する画像の色以外はすべて同様に構成されており、大別して、図１に示すように、所定の回転速度で回転する像保持体である感光体ドラム８（８Ｙ、８Ｍ、８Ｃ、８Ｋ）と、この感光体ドラム８の表面を一様に所定電位に帯電する一次帯電用の帯電ロール９（９Ｙ、９Ｍ、９Ｃ、９Ｋ）と、当該感光体ドラム８の表面に各色に対応した画像を露光して静電潜像を形成する露光装置１０（１０Ｙ、１０Ｍ、１０Ｃ、１０Ｋ）と、感光体ドラム８上に形成された静電潜像を対応する色のトナーで現像する現像装置１１（１１Ｙ、１１Ｍ、１１Ｃ、１１Ｋ）と、現像後の感光体ドラム８上に残留した電荷を除去する除電装置２１（２１Ｙ、２１Ｍ、２１Ｃ、２１Ｋ）と、感光体ドラム８上に残留した転写残トナーをクリーニングするクリーニング装置１２（１２Ｙ、１２Ｍ、１２Ｃ、１２Ｋ）と、現像装置１１にトナーを供給するトナーカートリッジ１３（１３Ｙ、１３Ｍ、１３Ｃ、１３Ｋ）とから構成されている。
【００３３】
現像装置１１は、図１に示すように、内部に収容された二成分または一成分の現像剤を撹拌しながら現像ロール１４（１４Ｙ、１４Ｍ、１４Ｃ、１４Ｋ）へと供給し、当該現像ロール１４に供給された現像剤の層厚を規制しながら、感光体ドラム８と対向する現像領域へと搬送し、当該感光体ドラム８の表面に形成された静電潜像を所定の色のトナーで現像するように構成されている。
【００３４】
そして、イエロー（Ｙ）、マゼンタ（Ｍ）、シアン（Ｃ）、ブラック（Ｋ）の各色の現像装置１１Ｙ、１１Ｍ、１１Ｃ、１１Ｋに対応して、イエロー（Ｙ）、マゼンタ（Ｍ）、シアン（Ｃ）、ブラック（Ｋ）の各色のトナーを供給する現像剤収容容器としてのトナーカートリッジ１３Ｙ、１３Ｍ、１３Ｃ、１３Ｋを備えている。
【００３５】
また、除電装置２１は、感光体ドラム８に光を照射することにより現像後の残留電荷を除去し、次の画像形成においてドラム表面が一様に帯電されるようにしている。
【００３６】
さらに、クリーニング装置１２は、図１に示すように、感光体ドラム８の表面に残留した転写残トナーをクリーニングブレード１５（１５Ｙ、１５Ｍ、１５Ｃ、１５Ｋ）によって除去し、除去された転写残トナーをクリーニング装置１２の内部に搬送して収容するようになっている。
【００３７】
カラープリンタ本体１の内部には、図１に示すように、制御部（制御手段）４が配置されており、この制御部４には、例えば、画像データに対して所定の画像処理を施す画像処理装置１６が設けられている。この画像処理装置１６からは、露光装置１０にイエロー（Ｙ）、マゼンタ（Ｍ）、シアン（Ｃ）、ブラック（Ｋ）の各色の画像データが順次出力され、この露光装置１０から画像データに応じて出射される４本のレーザビームＬＢが、それぞれの感光体ドラム８Ｙ、８Ｍ、８Ｃ、８Ｋ上に走査露光されて静電潜像が形成される。各感光体ドラム８Ｙ、８Ｍ、８Ｃ、８Ｋ上に形成された静電潜像は、現像装置１１Ｙ、１１Ｍ、１１Ｃ、１１Ｋによって、それぞれイエロー（Ｙ）、マゼンタ（Ｍ）、シアン（Ｃ）、ブラック（Ｋ）の各色のトナー像として現像される。
【００３８】
また、用紙搬送ベルトユニット３は、図１に示すように、無端状ベルトとして、循環し移動する用紙搬送ベルト１７を備えており、当該用紙搬送ベルト１７は、各画像形成部７Ｙ、７Ｍ、７Ｃ、７Ｋで形成されたイエロー（Ｙ）、マゼンタ（Ｍ）、シアン（Ｃ）、ブラック（Ｋ）の各色のトナー像が転写される転写材としての用紙１８を静電的に吸着した状態で搬送するように構成されている。
【００３９】
用紙搬送ベルト１７は、図１に示すように、上下方向に沿って配置された張架ロールとしての駆動ロール１９と従動ロール２０との間に所定のテンションで張架されており、図示しない駆動モータによって回転駆動される駆動ロール１９によって、所定の速度で図１においては反時計回りに循環移動するように構成されている。
【００４０】
駆動ロール１９と従動ロール２０との距離は、例えば、Ａ３サイズの用紙１８の長さと略等しい長さに設定されているが、これに限らず、任意に設定してよいことはもちろんである。また、用紙搬送ベルト１７としては、例えば、可撓性を有するポリイミド等の合成樹脂フィルムを無端ベルト状に形成したものが用いられる。
【００４１】
また、駆動ロール１９の表面には、図１に示すように、用紙１８を用紙搬送ベルト１７の表面に静電的に吸着させるための吸着ロール２２が、用紙搬送ベルト１７を介して当接するように配置されている。この吸着ロール２２は、例えば、画像形成部７Ｙ、７Ｍ、７Ｃ、７Ｋの帯電ロール９と同様に、金属製芯金の表面に導電性ゴムを被覆して構成されており、金属製芯金に所定の吸着用のバイアス電圧が印加されるようになっている。そして、吸着ロール２２は、給紙カセット６から送られてくる用紙１８を静電的に帯電して、用紙搬送ベルト１７の表面に吸着させるように構成されている。なお、吸着ロール２２は、必ずしも設けなくともよい。
【００４２】
各画像形成部７Ｙ、７Ｍ、７Ｃ、７Ｋの感光体ドラム８Ｙ、８Ｍ、８Ｃ、８Ｋ上に形成されたイエロー（Ｙ）、マゼンタ（Ｍ）、シアン（Ｃ）、ブラック（Ｋ）の各色のトナー像は、図１に示すように、用紙搬送ベルト１７の表面に吸着された状態で搬送される用紙１８上に、転写ロール（転写手段）２３Ｙ、２３Ｍ、２３Ｃ、２３Ｋによって互いに重ね合わされた状態で順次多重に転写される。なお、転写ロール２３Ｙ、２３Ｍ、２３Ｃ、２３Ｋは、用紙搬送ベルトユニット３に一体的に取り付けられており、これらの転写ロール２３Ｙ、２３Ｍ、２３Ｃ、２３Ｋが感光体ドラム８Ｙ、８Ｍ、８Ｃ、８Ｋにそれぞれ圧接されたニップ部が、トナー像が用紙１８上に転写される画像転写領域となる。
【００４３】
用紙１８は、図１に示すように、プリンタ本体１の底部に配置された給紙カセット６から給紙されて、プリンタ本体１へと搬送される。この給紙カセット６は、所望のサイズや材質の用紙１８が収容される用紙トレイ２４を備えている。また、用紙トレイ２４の直上には、最上部に位置する用紙１８とニップするピックアップロール３５が配置されている。これにより、当該用紙トレイ２４からは、所望のサイズや材質の用紙１８が一枚ずつピックアップロール３５で取り出されて給送ロール２５によって給送されるとともに、捌きロール２６によって１枚ずつ分離された状態で給紙され、給紙手段としてのレジストロール２７を介して所定のタイミングで用紙搬送ベルト１７上の吸着位置へと搬送されるようになっている。
【００４４】
なお、給送ロール２５およびピックアップロール３５はカラープリンタ本体１側に設けられ、捌きロール２６は給紙カセット６側に設けられている。
【００４５】
ここで、ピックアップロール３５の機能と給送ロール２５の機能とを一つにしたロールを用いてもよい。また、捌きロール２６ではなく、取り出される用紙１８に対して所定の摩擦抵抗をもったパッドタイプの捌き手段でもよい。
【００４６】
シートとしては、例えば、Ａ４サイズやＡ３サイズ、あるいはＢ５サイズやＢ４サイズなど種々のサイズ、および、普通紙、コート紙等の厚紙やＯＨＰシート、フィルム、葉書など、種々の材質のものが用いられる。
【００４７】
そして、イエロー（Ｙ）、マゼンタ（Ｍ）、シアン（Ｃ）、ブラック（Ｋ）の各色のトナー像が多重に転写された用紙１８は、図１に示すように、用紙自体が有する剛性（いわゆる腰）によって用紙搬送ベルト１７から分離された後、搬送経路２８に沿って定着装置（定着手段）２９へと搬送される。そして、定着装置２９において用紙１８に熱および圧力が加えられることによりトナー像が用紙１８上に定着される。
【００４８】
用紙搬送ベルト１７と定着装置２９は近接して配置されており、用紙搬送ベルト１７から分離された用紙１８は、用紙搬送ベルト１７の搬送力によって定着装置２９へと搬送される。この定着装置２９は、ヒータ３０ａ（図３〜図６）が内蔵されるとともにモータ３０ｂ（図５，図６）により回転する加熱ロール３０と、加熱ロール３０に対する圧接力（定着圧力）が変化するように移動可能な圧接力調節部材３１ａ（図３〜図６）が内蔵された加圧ベルト３１とを有しており、加熱ロール３０と加圧ベルト３１とを互いに圧接した状態で回転駆動し、これら加熱ロール３０と加圧ベルト３１の間に形成される定着ニップ部Ｎ（図３、図５）に用紙１８を通過させることにより、熱および圧力で定着処理を施すように構成されている。
【００４９】
その後、各色のトナー像が定着された用紙１８は、排出ロール３２によって、カラープリンタ本体１の上部に設けられた排紙トレイ３３上にプリント面を下にした状態で排出され、プリント動作が終了する。
【００５０】
なお、カラープリンタでは、カラーの画像に限らず、モノクロなど所望の色の画像をプリントすることが可能となっており、プリントする画像の色に応じて、イエロー（Ｙ）、マゼンタ（Ｍ）、シアン（Ｃ）、ブラック（Ｋ）の全てまたは一部の画像形成部７Ｙ、７Ｍ、７Ｃ、７Ｋによってトナー像が形成される。
【００５１】
なお、図１中、符号３４はプリンタ本体１の正面に取り付けられた液晶パネル等の表示部を備えた操作パネルを示しており、当該操作パネル３４では、プリンタの状態を表示したり、必要な操作等を行うように構成されている。
【００５２】
ここで、本実施の形態のタンデム型のカラープリンタにおいて、前述のように画像形成ユニット２が上下方向に沿って配置されていることから、画像形成ユニット２の真上に定着装置２９を配置したのでは、装置の高さが高くなってしまう。そこで、図示するように、最上部に位置する転写ロール２３Ｋと定着装置２９との間に用紙１８を撓ませて案内するガイド板４０を設けて転写ロール２３Ｋから定着装置２９に至る搬送経路２８を曲げ、装置高さを抑制するようにしている。したがって、転写ロール２３Ｋからの用紙１８は、ガイド板４０により撓められ、斜め上方に案内されて定着装置２９に導かれる。
【００５３】
以下、画像形成ユニット２から定着装置２９に至る搬送経路２８の構造について、図２および図３を用いて説明する。ここで、図２は、本発明に係る実施の形態の画像形成装置において画像形成ユニットと定着装置との間に設けられたガイド板およびその周辺構造を示す概略図、図３は用紙の厚さに対するガイド板の動きを示す説明図である。
【００５４】
図２に示すように、ガイド板４０は定着装置２９側の幅方向両端がカラープリンタ本体１の筐体に回動可能に支持されている。よって、ガイド板４０は定着装置２９側を支点Ｆとして回動する。図示するように、ガイド板４０の幅方向の一方端は、筐体を貫通する連結部材４１を介してレバー（移動手段）４２と連結されている。したがって、操作者がレバー４２を操作することにより、ガイド板４０は用紙１８が撓む方向に移動（回動）することとなる。
【００５５】
筐体の外部側壁には、レバー４２の移動位置に対応して、薄い用紙（例えば、一部分を水平に向けて持つと自由端が自重で垂れ下がりほぼ鉛直方向となる程度の薄さの用紙）１８を使用する場合のレバー４２の位置（第１の位置）を示す「Ｔｈｉｎ」の文字４３ａと、厚い用紙（例えば、官製葉書のように一部分を水平に持っても自由端は自重では垂れ下がらない、あるいは僅かに垂れ下がるにとどまり鉛直方向までは垂れ下がらない程度の厚さの用紙）１８を使用する場合のレバー４２の位置（第２の位置）を示す「Ｔｈｉｃｋ」の文字４３ｂとが、例えばシールに印刷されて貼着されている。
【００５６】
したがって、用紙１８の種別（ここでは、用紙１８の厚さ）に応じてレバー４２を「Ｔｈｉｎ」の文字４３ａの位置（第１の位置）あるいは「Ｔｈｉｃｋ」の文字４３ｂの位置（第２の位置）に移動させることにより、当該レバー４２と連結されたガイド板４０の傾斜角が変動し、ガイド板４０はその傾斜角で用紙１８を転写ロール２３Ｋから定着装置２９へと案内する。
【００５７】
なお、図示は省略されているが、カラープリンタには、レバー４２が上述した２つの位置となったときに、ガイド板４０のそれ以上の回動を阻止するとともに当該位置でガイド板４０を保持する保持機構が設けられている。
【００５８】
ここで、レバー４２を文字４３ａの位置（薄い用紙１８を使用する場合の位置：第１の位置）に合わせた場合のガイド板４０の傾斜角（図２に示す位置）よりも、レバー４２を文字４３ｂの位置（厚い用紙１８を使用する場合の位置：第２の位置）に合わせた場合のガイド板４０の傾斜角の方が、より水平に近くなっている。したがって、図３に示すように、転写ロール２３Ｋのある画像形成ユニット２から上方に向けてほぼ垂直に搬送されてくる用紙１８の先端がガイド板４０に当たる角度（当接角度）は、薄い用紙１８（図３（ａ））のとき（当接角度：θ１１）よりも厚い用紙１８（図３（ｂ））のとき(当接角度：θ１２）方が急峻となっている。つまり、ガイド板４０による用紙１８の撓み量は、第１の位置よりも第２の位置の方が大きくなる。
【００５９】
すなわち、厚い用紙１８の場合には、用紙１８の腰の強さが有効に作用してガイド板４０に当たった際のジャムが抑制されるので、用紙１８の先端がガイド板４０に当たる当接角度θ１２が急になるようにレバー４２を操作してガイド板４０を移動させることにより（つまり、ガイド板４０を第２の位置にして用紙１８の撓み量を大きくすることにより）、定着ニップ部Ｎへの導入角度（定着ニップ部Ｎを通る加熱ロール３０の接線と用紙１８とでなす角度）θ２２が緩やかになる。厚い用紙１８がカールする原因は、用紙１８の定着ニップ部Ｎへの導入角度θ２２が大きくなって用紙１８が湾曲しながら定着ニップ部Ｎに導入されるためであるので、このように定着ニップ部Ｎへの導入角度θ２２が緩やかになれば、用紙１８はほとんどあるいは全く湾曲せずに定着ニップ部Ｎに導入されるため、カールが大幅に緩和されるようになる。
【００６０】
これに対し、薄い用紙１８の場合には、厚い用紙１８とは反対に、用紙１８の腰が弱いために定着ニップ部Ｎへの導入角度θ２１が大きくなってもカールは然程でもない一方で、ガイド板４０に当たる当接角度θ１１が大きくなるとジャムの発生するおそれが増大する。そこで、用紙１８の先端がガイド板４０に当たる当接角度θ１１が緩やかになり、定着ニップ部Ｎへの導入角度θ２１が大きくなるようにレバー４２を操作してガイド板４０を移動させることにより（つまり、ガイド板４０を第１の位置にして用紙１８の撓み量を小さくすることにより）、用紙１８のジャムを抑制することが可能になる。
【００６１】
なお、本実施の形態のように、ガイド板４０が定着装置２９側を支点Ｆとして回動可能に設ければ、ガイド板４０を移動させても用紙１８の定着ニップ部Ｎに対する導入位置が変動しないので、より正確に用紙１８を定着ニップ部に導入させることができる。但し、ガイド板４０は、定着装置２９とは反対側を支点として回動するように設けてもよい。
【００６２】
また、ガイド板４０の位置は、上記のような第１の位置と第２の位置の２つの位置ではなく、用紙１８の種別（厚み）に応じた３つ以上の位置に移動するようになっていてもよい。
【００６３】
そして、以上の説明では、移動手段としてレバー４２を適用し、操作者が当該レバー４２を操作することでガイド板４０が移動することとし、簡便な構成で用紙１８のカールを緩和しジャムを抑制するようにしているが、移動手段として、例えばソレノイドやモータ（ステッピングモータ）のようにガイド板４０を移動させることが可能なガイド板駆動源を適用して、ガイド板４０を自動的に移動させるようにしてもよい。
【００６４】
ガイド板駆動源としてプランジャ４４を用いた場合について、図４および図５を用いて説明する。ここで、図４は本発明に係る実施の形態の変形例としての画像形成装置における制御系を示すブロック図、図５は図４の画像形成装置においてガイド板駆動源にプランジャを適用した場合の用紙の厚さに対するガイド板の動きを示す説明図である。
【００６５】
図４に示すように、プリンタ本体１の制御部４は、例えばパーソナルコンピュータなどの情報処理装置が有する用紙種別設定手段５０と接続されて当該用紙種別設定手段５０から用紙の厚みに関する情報（例えば、厚い用紙に画像形成を行う厚紙モード・薄い用紙に画像形成を行う薄紙モードの何れのモードかの情報）を受信する。そして、このような制御部４により、前述した定着装置２９のヒータ３０ａ、モータ３０ｂ、圧接力調整部材３１ａおよび後述するソレノイド４４が動作制御されるようになっている。
【００６６】
ここで、制御部４に制御されるソレノイド４４は、ガイド板４０を移動させるガイド板駆動源である。
【００６７】
ソレノイド４４にはプランジャ４４ａが出没可能に設けられており、当該プランジャ４４ａの先端は、連結部材４５を介してガイド板４０に連結されている。ソレノイド４４の内部にはコイルばね等の付勢部材（図示せず）が設けられており、プランジャ４４ａはコイルばねの付勢力により突出するようになっている。さらに、ソレノイド４４の内部には励磁コイルがプランジャ４４ａの移動領域の一部に沿って設けられており、励磁コイルが通電されると、プランジャ４４ａはコイルばねの付勢力に抗して没入するようになっている。
【００６８】
ソレノイド４４の励磁コイルへの通電、非通電が行われることでプランジャ４４ａが機械的な直線往復運動をして出没し、これによりガイド板４０が前述のように用紙１８の種別に応じて第１の位置と第２の位置とに移動する。なお、本実施の形態では、プランジャ４４ａがコイルばねの付勢力により突出したときにガイド板４０が第１の位置（薄い用紙１８を使用する場合の位置：図５（ａ））となり、励磁コイルが通電されると第２の位置（厚い用紙１８を使用する場合の位置：図５（ｂ））となる。
【００６９】
そして、情報処理装置の用紙種別設定手段５０により厚紙モード・薄紙モードの何れかのモードに設定されることにより用紙１８の種別が指定されたならば、これを受けた制御部４は、ソレノイド４４を介してガイド板４０を第１の位置または第２の位置に移動させ、これに応じて定着装置２９のヒータ３０ａによる定着温度を変化させ、モータ３０ｂによる用紙搬送速度を変化させ、圧接力調整部材３１ａによる定着圧力を変化させる。
【００７０】
具体的には、厚紙モードに設定されたならば、制御部４は、励磁コイルに通電を行ってソレノイド４４のプランジャ４４ａを没入させることでガイド板４０を第２の位置にし、さらに、薄紙モード時よりも定着装置２９の定着温度が低くなるようにヒータ３０ａの温度を下げ、薄紙モード時よりも用紙搬送速度が遅くなるようにモータ３０ｂの回転速度を落とし、薄紙モード時よりも定着圧力が低くなるように圧接力調整部材３１ａにより圧接力を調整する。
【００７１】
逆に、薄紙モードに設定されたならば、制御部４は、励磁コイルへの通電を停止してソレノイド４４のプランジャ４４ａを突出させることでガイド板４０を第１の位置にし、さらに、厚紙モード時よりも定着装置２９の定着温度が高くなるようにヒータ３０ａの温度を上げ、厚紙モード時よりも用紙搬送速度が速くなるようにモータ３０ｂの回転速度を上げ、厚紙モード時よりも定着圧力が高くなるように圧接力調整部材３１ａにより圧接力を調整する。
【００７２】
このように、用紙１８の種別の指定を受けた制御部４が、当該種別に応じてガイド板４０が移動するようにソレノイド４４の制御を行っているので、操作者が用紙１８の種別を指定するだけで、用紙１８のカールを緩和しジャムを抑制することができる。
【００７３】
すなわち、制御部４により、厚紙モードのときにソレノイド４４を介してガイド板４０を用紙１８の撓み量が大きくなる第２の位置に移動させているので、つまり用紙１８の厚みに応じてガイド板４０による用紙１８の撓み量が大きくなるようにソレノイド４４の制御を行ってガイド板４０の位置を変えているので、転写ロール２３Ｋから定着装置２９に向けて曲がった搬送経路２８における用紙１８のカールを緩和しジャムを抑制することができる。
【００７４】
また、制御部４は、このようなガイド板４０の移動に応じて定着装置２９の定着温度、用紙搬送速度および定着圧力を変化させる制御を行っているので、画質を維持しつつ用紙１８のカールが一層緩和される。
【００７５】
つまり、用紙１８の厚みが厚いほどカールしやすくなるが、定着装置２９の定着温度を低くし、定着圧力を低くすれば、カールは一層緩和される。しかしながら、このままではトナー像が用紙１８に定着するのに十分な熱量と圧力とが得られなくなり、定着不良による画質劣化を招いてしまう。そこで、用紙搬送速度を遅くすることで熱量を稼ぐことにより定着不良を防止して画質を維持しつつ、用紙１８のカールが緩和される。
【００７６】
なお、本実施の形態では、制御部４が、ガイド板４０の移動のみならず、定着装置２９の定着温度、用紙搬送速度および定着圧力をも変化させる制御を行っているが、ガイド板４０の移動のみを行うようにしてもよい。また、定着装置２９の定着温度、用紙搬送速度および定着圧力の全てを変化させるのではなく、これらの要素の何れか１つまたは２つを変化させるものでもよい。さらに、用紙のモードは、厚紙モードと薄紙モードの２つのモードであるが、３つ以上のモードになっていてもよい。
【００７７】
ここで、制御部４は、前述のように、情報処理装置という外部機器に設けられた用紙種別設定手段５０から用紙の厚みに関する情報を受信するのではなく、図６に示すように、プリンタ本体１内に用紙１８の厚みを判別する厚みセンサ（判別手段）５１を設けておき、厚みセンサ５１から用紙の厚みに関する情報を受信するようにしてもよい。
【００７８】
このように、制御部４が、厚みセンサ５１の判別した用紙１８の厚みに応じてガイド板４０が移動するようにソレノイド４４の制御を行うように、さらに、定着装置２９の定着温度、用紙搬送速度および定着圧力を変化させる制御を行うようにすれば、ガイド板４０などが用紙の厚みに応じて自動的に制御されるので、操作者がカールの生じやすい厚紙か、ジャムの生じやすい薄紙かという用紙種別を意識しなくても、用紙１８のカールを緩和しジャムを抑制することができる。
【００７９】
さらに、用紙１８がガイド板４０に当たったことを検知するセンサ（図示せず）を設けておき、制御部４は、当該センサにより用紙１８がガイド板４０に当たったことが検知されたならば、ガイド板４０による用紙１８の撓み量がより大きくなる位置（つまり、第２の位置）へガイド板４０が移動するようにソレノイド４４の制御を行うようにすることができる。
【００８０】
このようにすれば、用紙１８の搬送方向先端がガイド板４０に当たったのちに、ガイド板４０による用紙１８の撓み量がより大きくなる位置（つまり、第２の位置）へガイド板４０が移動することができるので、用紙１８の搬送方向先端がガイド板４０に当たるときのジャムを抑制しつつ、用紙１８をスムーズに定着装置２９の定着ニップ部Ｎに導入させることができる。
【００８１】
以上の説明では、用紙すなわちシートの種別は厚みを基準にしているが、厚みはシートの腰（剛性）の強弱の一要素を例示したに過ぎず、種別は厚みに限定されるものではない。つまり、同じ厚みのシートでも材料の違いなどにより、腰の強弱が異なる場合があるからであり、本願において、シートの種別はシートの腰の強弱で分類される。そして、ガイド板４０はシートの腰の強さに応じてシートの撓み量が大きくなるように移動される。また、制御部４によるこのようなガイド板４０の移動に応じて、定着装置２９の定着温度が低く、シート搬送速度が遅く、定着圧力が低くなるよう制御される。
【産業上の利用可能性】
【００８２】
本発明の画像形成装置を説明する実施の形態では、画像形成ユニットが上下方向に沿って配置されていることから、画像形成ユニットに沿って形成されて定着装置へ向かう搬送経路を曲げて高さを抑制している。しかしながら、本発明は、画像形成ユニットが水平方向、あるいは奥行き方向に沿って配置された画像形成装置に適用が可能であることは、もちろんである。
【図面の簡単な説明】
【００８３】
【図１】本発明の一実施の形態としての画像形成装置であるタンデム型のカラープリンタの概念図である。
【図２】本発明に係る実施の形態の画像形成装置において画像形成ユニットと定着装置との間に設けられたガイド板およびその周辺構造を示す概略図である。
【図３】用紙の厚さに対するガイド板の動きを示す説明図である。
【図４】本発明に係る実施の形態の変形例としての画像形成装置における制御系を示すブロック図である。
【図５】図４の画像形成装置においてガイド板駆動源にプランジャを適用した場合の用紙の厚さに対するガイド板の動きを示す説明図である。
【図６】本発明に係る実施の形態の別の変形例としての画像形成装置における制御系を示すブロック図である。
【符号の説明】
【００８４】
４  制御部（制御手段）
１８  用紙（シート）
２３Ｙ、２３Ｍ、２３Ｃ、２３Ｋ  転写ロール（転写手段）
２９  定着装置（定着手段）
３０  加熱ロール
３０ａ  ヒータ
３０ｂ  モータ
３１  加圧ベルト
３１ａ  圧接力調節部材
４０  ガイド板
４１  連結部材
４２  レバー（移動手段）
４４  ソレノイド（ガイド板駆動源・移動手段）
５０  用紙種別設定手段
５１  厚みセンサ（判別手段）
Ｆ  支点
Ｎ  定着ニップ部
【図１】
2008310241.tif 000003
【図２】
2008310241.tif 000004
【図３】
2008310241.tif 000005
【図４】
2008310241.tif 000006
【図５】
2008310241.tif 000007
【図６】
2008310241.tif 000008